(57)【特許請求の範囲】
【請求項１】
第１ネットワーク要素及び第２ネットワーク要素と、前記第１ネットワーク要素及び前記第２ネットワーク要素を電気的に相互接続する交差接続ケーブル組立部材とを有する通信システムであって、
各ネットワーク要素は、
複数の送信ポートと、
複数の受信ポートであって、前記複数の受信ポートは前記送信ポートからの物理的距離が徐々に変わるように間隔をとり、前記複数の送信ポートは前記複数の受信ポートからの物理的距離が徐々に変わるように間隔をとるところの複数の受信ポートと、
前記送信ポートの各々についてのプリエンファシス利得を設定し、前記受信ポートの各々についてのポストエンファシス利得を設定するコントローラと、
を有し、
前記交差接続ケーブル組立部材は、
前記第１ネットワーク要素の受信ポート及び送信ポートの対応するものに適合するよう形成された複数の受信プラグ及び複数の送信プラグを有する第１コネクタと、
前記第２ネットワーク要素の受信ポート及び送信ポートの対応するものに適合するよう形成された複数の受信プラグ及び複数の送信プラグを有する第２コネクタと、
電気通信内容をそれぞれが伝送可能な複数の第１の回線であって、複数の第１の回線の各々は前記第１コネクタの送信プラグの１つに接続する第１端部と、前記第２コネクタの受信プラグの１つに接続する第２端部とを有し、第１コネクタの受信プラグに関する前記第１端部の接続順序は、第２コネクタの送信プラグに関する第２端部の接続の順序と逆であるところの複数の第１の回線と、
電気通信内容をそれぞれが伝送可能な複数の第２の回線であって、複数の第２の回線の各々は前記第１コネクタの受信プラグの１つに接続する第１端部と、前記第２コネクタの送信プラグの１つに接続する第２端部とを有し、第１コネクタの送信プラグに関する前記第１端部の接続順序は、第２コネクタの受信プラグに関する第２端部の接続の順序と逆であるところの複数の第２の回線と、
を有し、
前記ネットワーク要素の各々について、
送信ポートの各々は、受信ポートとの物理的距離がより短い他の送信ポートと比較して、より大きなプリエンファシス利得を適用し、
受信ポートの各々は、送信ポートとの物理的距離がより短い他の受信ポートと比較して、より大きなポストエンファシス利得を適用する、
ことを特徴とする通信システム。
【請求項２】
複数の送信プラグ及び複数の受信プラグを有する第１コネクタであって、前記送信プラグは前記受信プラグからの物理的距離が徐々に変わるように間隔をとり、前記受信プラグは前記送信プラグからの物理的距離が徐々に変わるように間隔をとるところの第１コネクタと、
複数の送信プラグ及び複数の受信プラグを有する第２コネクタであって、前記送信プラグは前記受信プラグからの物理的距離が徐々に変わるように間隔をとり、前記受信プラグは前記送信プラグからの物理的距離が徐々に変わるように間隔をとるところの第２コネクタと、
電気通信内容をそれぞれが伝送可能な複数の第１の回線であって、複数の第１の回線の各々は前記第１コネクタの送信プラグの１つに接続する第１端部と、前記第２コネクタの受信プラグの１つに接続する第２端部とを有し、第１コネクタの受信プラグに関する前記第１端部の接続順序は、第２コネクタの送信プラグに関する第２端部の接続の順序と逆であるところの複数の第１の回線と、
電気通信内容をそれぞれが伝送可能な複数の第２の回線であって、複数の第２の回線の各々は前記第１コネクタの受信プラグの１つに接続する第１端部と、前記第２コネクタの送信プラグの１つに接続する第２端部とを有し、第１コネクタの送信プラグに関する前記第１端部の接続順序は、第２コネクタの受信プラグに関する第２端部の接続の順序と逆であるところの複数の第２の回線と、
を有し、
前記第１のコネクタ及び前記第２のコネクタの各々について、
送信プラグの各々は、受信プラグとの物理的距離がより短い他の送信プラグと比較して、より大きなプリエンファシス利得を適用され、
受信プラグの各々は、送信プラグとの物理的距離がより短い他の受信プラグと比較して、より大きなポストエンファシス利得を適用される、
ことを特徴とする交差接続ネットワークケーブルアセンブリ。
【請求項３】
第１コネクタ及び第２コネクタの各々について、隣接する送信プラグ対各々の間の物理的距離が実質的に等しく、隣接する受信プラグ対各々の間の物理的距離が実質的に等しい
ことを特徴とする請求項２記載の交差接続ネットワークケーブルアセンブリ。
【請求項４】
複数の第１の回線の各々について、前記第１コネクタの受信プラグに対する前記第１端部の物理的距離と、前記第２コネクタの送信プラグに対する前記第２端部の物理的距離との総和が、複数の第１の回線の他のものに関する総和と実質的に等しい
ことを特徴とする請求項２記載の交差接続ネットワークケーブルアセンブリ。
【請求項５】
複数の送信ポートと複数の受信ポートとを有する通信モジュールであって、前記受信ポートは前記送信ポートからの物理的距離が徐々に変わるように間隔をとり、前記送信ポートは前記受信ポートからの物理的距離が徐々に変わるように間隔をとり、該通信モジュールは第１のコンフィギュレーション及び第２のコンフィギュレーションの内選択されたもので動作し、前記第１のコンフィギュレーションは交差接続ケーブルアセンブリではないケーブルが用いられる場合に適用されるプリエンファシス及びポストエンファシス利得の設定であり、前記第２のコンフィギュレーションは交差接続ケーブルアセンブリケーブルが用いられる場合に適用されるプリエンファシス及びポストエンファシス利得の設定であり、前記第２のコンフィギュレーションは送信ポートのマッピング及び受信ポートのマッピングを前記第１のコンフィギュレーションのものとは逆にするところの通信モジュールと、
前記送信ポートの各々についてプリエンファシス利得を設定し、前記受信ポートの各々についてポストエンファシス利得を設定し、前記通信モジュールの前記第１のコンフィギュレーション及び前記第２のコンフィギュレーションの間で選択を行うコントローラと、
を有し、
前記送信ポートの各々は、前記受信ポートとの物理的距離がより短い他の送信ポートと比較して、より大きなプリエンファシス利得を適用され、
前記受信ポートの各々は、前記送信ポートとの物理的距離がより短い他の受信ポートと比較して、より大きなポストエンファシス利得を適用される、
ことを特徴とするネットワーク要素。
【請求項６】
前記コントローラは、前記通信モジュールに対する交差接続ケーブルアセンブリの接続を検出し、該検出に応じて、前記通信モジュールの前記第２のコンフィギュレーションを選択する
ことを特徴とする請求項５記載のネットワーク要素。
【請求項７】
前記第２のコンフィギュレーションにおいて、送信ポートの各々は、受信ポートとの物理的距離がより短い他の送信ポートと比較して、より大きなプリエンファシス利得を適用する
ことを特徴とする請求項５記載のネットワーク要素。
【請求項８】
前記第２のコンフィギュレーションにおいて、受信ポートの各々は、送信ポートとの物理的距離がより短い他の受信ポートと比較して、より大きなポストエンファシス利得を適用する
ことを特徴とする請求項５記載のネットワーク要素。
【発明の詳細な説明】
【技術分野】
【０００１】
本発明は一般にネットワークケーブルの相互接続に関連し、特に交差接続されるケーブルの相互接続に関する。
【背景技術】
【０００２】
通信システムでは一般に物理的なケーブルが通信要素間を接続する。これらのケーブルは、信号の減衰に起因するシンボル間干渉及び近端漏話（又は近端クロストーク）のような様々なタイプの干渉の影響を被ることがしばしばある。この干渉は信号を深刻に劣化させ、通信を乱すおそれがある。
【発明の開示】
【発明が解決しようとする課題】
【０００３】
本発明の課題は上記の問題点を解消又は軽減する交差接続ケーブルの相互接続法をもたらすことである。
【課題を解決するための手段】
【０００４】
特定の形態によれば、電気通信用の交差接続ケーブルは、ネットワーク要素を接続することができる複数の信号ケーブルを有する。ネットワーク要素はいくつでもポート毎の増幅制御を受けてよく、ケーブルの一端で進入する信号に最も近い進出する信号は、ケーブルの他端で反対向きの信号と最も遠く隔てられ、他の信号より小さな増幅度に設定される。
【発明を実施するための最良の形態】
【０００５】
本発明の実施形態は様々な技術的恩恵をもたらす。これらの技術は物理的なケーブル接続をもたらし、遠端クロストークの増加を犠牲にして近端クロストークの影響を減らすことができる。遠端クロストークの増加は許容可能である。なぜなら遠端クロストークは近端クロストークよりも深刻さが少ないからである。ポート毎の増幅制御機能を備えるネットワーク要素を使用することで、交差接続ケーブル接続はケーブル干渉に関して今まで以上の利益をもたらす。適切に実現されれば、実施形態は、高速通信をサポートしつつ近端クロストーク及びシンボル間干渉の影響に耐えるケーブルをもたらす。更に様々な実施形態は比較的コンパクトな相互接続部材を可能にし、その部材は干渉の影響に耐えるものである。
【０００６】
本発明の他の技術的利益は以下の図面、明細書及び特許請求の範囲から当業者に更に明白になるであろう。更に、具体的な利点が上記に列挙されたが、様々な実施形態は上記に列挙された利点の全部又は一部を含んでもよいし、全く含まなくてもよい。
【実施例１】
【０００７】
本発明及びその利点の理解の完全を更に期するため、添付図面に関連した以下の説明が参照される。
【０００８】
図１は全体的に１０で示される通信システムを示し、通信システムは交差接続ケーブル組立部材(cross-connected  cable  assembly)１４により相互接続されるネットワーク要素１２を含む。ケーブル組立部材１４はケーブルスパン部１６及びコネクタ１８を含む。ケーブル組立部材１４のコネクタ１８はネットワーク要素１２内で通信モジュール２０に物理的に結合する。一般に、ケーブル組立部材１４は、干渉の影響を減らし、高速通信を可能にするために交差接続部を用意する。更にネットワーク要素１２内の通信モジュール２０は、個々のポート増幅度を調整する機能を用意し、干渉を減らすようにケーブル組立部材１４と共同して機能する。
【０００９】
ネットワーク要素１２の各々は、適切な制御ロジックを含むネットワーク通信要素を表す。例えばネットワーク要素１２はスイッチ、ルータ、ゲートウエー又は他の適切なネットワーク機器を含んでよい。特定の実施例によれば、ネットワーク要素１２は高速電気信号によって互いに通信する。
【００１０】
ケーブル組立部材１４は電気信号を伝送可能な物理的な媒体を表す。特定の実施例によれば、ケーブル組立部材１４は複数の個々の回線を含む。例えば、ケーブル組立部材１４はＡのラベルが付されたネットワーク要素１２（ネットワーク要素Ａ）からＢのラベルが付されたネットワーク要素（ネットワーク要素Ｂ）への通信内容を伝送する複数の回線や、ネットワーク要素Ｂからネットワーク要素Ａへの通信内容を伝送する複数の回線を含んでもよい。
【００１１】
コネクタ１８はネットワーク要素にケーブル組立部材１４を結合するよう用意される。コネクタ１８の特定の形状及び構成は、ネットワーク要素１２の対応する入力及び出力によって規定される。即ち、コネクタ１８はネットワーク要素１２の対応する入力及び出力に適合するよう形成されるべきである。特定の実施例では、コネクタ１８の各々はネットワーク要素１２のポートに対応する多数のプラグを有する。例えばコネクタ１８の各々は、送信ポートに結合する多数の送信プラグ及び受信ポートに結合する多数の受信プラグを有する。これらのプラグは例えば線状に配列され、各送信プラグが受信プラグから連続的に大きく離れるようにする。しかしながらこのことは間隔が規則的であること又はコネクタ内の全てのプラグが正確な直線又は１つの直線に沿うことを必須としない。かくてコネクタ１８はケーブルスパン部１６及びネットワーク要素１２間で物理的な相互接続をもたらすことの可能な適切な如何なる形態をも包含するよう理解されるべきである。例えばコネクタ１８はむき出しのワイヤ接続、特定の規格に従うよう設計されたコネクタ組立部材、特注で構成されたコネクタ組立部材、又は他の適切な如何なる形態でもよい。
【００１２】
図２は例示的なケーブル組立部材１４によるネットワーク要素１２の相互接続の様子を詳細に示すブロック図である。図示の例では、ケーブルスパン部１６は個々の多数の回線２２を含む。更に図示の通信モジュール２０では、ネットワーク要素１２は多数の増幅器２４を含む。図示されるようにケーブル組立部材１４は或る方向に送信するための４つの回線２２と反対方向に送信するための４つの回線とを含む。各々の回線２２は情報を伝送するための論理信号を表す。例えば差動信号が使用されるならば、各回線２２は物理的に一対の電気信号を有する。簡明化のため、ネットワーク要素１２各々の増幅器２４には共通する手法でラベルが付されている。信号の前段増幅機能をもたらすように設けられた増幅器２４には、送信機(transmitter)に関連してＴのラベルが付されている。受信信号の後段増幅機能をもたらすように設けられた増幅器には、受信機(receiver)に関連してＲが付されている。添え字により、各増幅器は、ネットワーク要素Ａ又はネットワーク要素Ｂの中に位置していることに基づいて且つ増幅器が動作する特定のチャネルに関連して更に指定されている。例えばTA0のラベルの付された増幅器２４は、回線２２を通じてRB0のラベルの付されたネットワーク要素中の増幅器２４に接続する。
【００１３】
この図から理解されるように、コネクタ１８及び増幅器２０の実際の物理的形態が図示される形態に近ければ、回線２２の交差接続は、ケーブル組立部材１４中の近端クロストークの影響を減らすことを支援する。例えば増幅器RB0で受信されるように増幅器TA0から送信された信号を考察する。増幅器TA0はこの信号の比較的大きな増幅度をもたらすが、増幅器TA0及び受信増幅器２４（RA0，RA1，RA2，RA3）の間の物理的な隔たりに起因して、この比較的大きな増幅度はネットワーク要素Ａ中の限られた近端クロストークにしか影響しない。更に、増幅器TA0によって与えられる比較的大きな増幅度に起因して、増幅器RB0はその受信信号を復元するためにほとんど増幅することを要しないかもしれない。
【００１４】
増幅器TA3から受信機RB3への伝送を次に考察する。この場合、ネットワーク要素Ａの中で比較的大きな増幅度は受信増幅器２４での近端クロストークに影響するかもしれない。具体的には、増幅器TA3と受信増幅器２４との物理的な近接性に起因して、送信信号の比較的大きな増幅度は、受信増幅器RA0，RA1，RA2及び／又はRA3によって受信される信号品質を劣化させるかもしれない。従って増幅器TA3は比較的低い増幅度を使用する。ネットワークＢの遠端では、増幅器TA3で低い増幅度しか持たなかった受信信号を適切に復元するために、増幅器RB3は比較的大きな利得を適用する。受信端では、増幅器RB3で受信された信号の比較的大きな増幅度は、受信端での物理的形態に起因して、ネットワーク要素Ｂ内での近端クロストークをほとんど拾い上げない。即ち、増幅器RB3が送信増幅器２４（TB0,  TB1,  TB2,  TB3）から最も大きく隔てられた増幅器として物理的に構成されるならば、増幅器RB3は、ネットワーク要素Ｂ内で送信増幅器２４から多くの近端クロストークを拾い上げることなしに、比較的大きな増幅度を提供する。
【００１５】
送信信号の差動振幅は遠端クロストークを悪化させるかもしれない。上記の説明では、増幅器TA0は増幅器TA3より大きな振幅を有するので、受信増幅器RB3は、RB0よりも且つTA0及びTA3が同じ振幅である場合よりも大きな遠端クロストークを受けるかもしれない。従って、上述の説明では、遠端クロストークの増加を犠牲にして、近端クロストークの削減が実際になされる。そのような遠端クロストークが増加するにもかかわらず、近端クロストークを低減することは依然として有利である。なぜなら近端クロストークは遠端クロストークよりも深刻だからである。
【００１６】
特定の実施例によれば、増幅器２４は異なる周波数の信号を異なるゲインで増幅してよい。例えば回線２２に沿う挿入損失は高周波の方が低周波よりも深刻な影響を及ぼしかねないので、増幅器２４は、低周波の信号成分に比較して高周波の信号成分に大きな増幅度を適用する。通常的には高周波はビットレートの半分であるナイキスト周波数として言及され、低周波は（スクランブリング又は８B10Bのような）シグナリング法に依存して高周波の1/5乃至DCとして言及される。例えばビットレートが10Gbpsだったならば、５GHｚは高周波と言及され、DC乃至1GHzは低周波と言及される。
【００１７】
比較的簡明な実施例から理解できるように、送信ポートに適用される増幅レベルは、物理的に比較的近くに近接している要素間の近端クロストークの影響を減らすように調整可能である。同様に受信端では、ポートの増幅はその受信端での意図的でない干渉増幅を減らすように同様に調整されてもよい。しかしながらこの図面及び説明事項はネトワーク要素１２を相互接続する特定数の回線２２を有する特定の形態に関連し、発明概念は、調整可能な送信機及び／又は受信機に潜在的に結合された交差接続回線により、ケーブル組立部材中の適切な如何なる回線交差接続をも包含することが理解されるべきである。更に、ネットワーク要素１２は特定の要素を有する通信モジュール２０を含むように描かれているが、システム１０は、適切な如何なる組み合わせの及び配置の要素（通信をサポートする要素）を有するネットワーク１２をも想定していることが理解されるべきである。
【００１８】
送信信号の差動振幅に関する上述の技法はケーブルの一方に又は双方に適用可能である。
【００１９】
一方側に振幅制御を適用する利点は、他方側のポート毎の振幅制御機能なしに市販の要素を利用可能なことである。上述の例では、TB0乃至TB3が同様な振幅であったならば、TA0乃至TA3での制御された振幅は、信号の双方向で近端クロストークを減らす。即ち、TA3の振幅減少はRA0で受信される近端クロストークを減らし、TA0の振幅増加はRB0での受信信号がTB3からの近端クロストークの影響を受けにくくし、かくて近端クロストークを効果的に軽減する。従って近端クロストークの影響は、送信振幅を一方側で制御しただけで双方向で減らされる。
【００２０】
一方、双方の側に振幅制御を適用する利点は、近端クロストークを減らす効果が２倍になり得ることである。
【００２１】
図３はネットワーク要素１２の機能要素例を示すブロック図である。図示されるようにネットワーク要素１２は通信モジュール２０、コントローラ３０及びメモリ３２を含む。一般に、ネットワーク要素１２内のモジュールはネットワーク通信をサポートするようにやりとりする。より具体的には、ネットワーク要素１２内のモジュールは、通信モジュール２０及び他のネットワーク要素間で交差接続された相互接続をサポートするよう動作する。
【００２２】
コントローラ３０は、適切な何らかの制御ロジックを含み、ネットワーク要素１２内の他のモジュールの動作を管理可能なハードウエアを表現する。例えばコントローラ３０は、ネットワーク要素１２の動作を制御することができる１以上のマイクロプロセッサ又は他の適切な機器を含んでよい。更にコントローラ３０はメモリ３２又は適切な他のソースからソフトウエア又は他の制御論理をロードし及び実行する。
【００２３】
メモリ３２はネットワーク１２内の他の要素で使用する情報を保持できるローカル的な又は遠隔的な装置の適切な如何なる集まり及び配置をも表現する。この例ではメモリ３２はソフトウエア３４、標準構成（コンフィギュレーション）３６、交差接続形態（コンフィギュレーション）３８及びカスタム形態（コンフィギュレーション）４０が図示されている。ソフトウエア３４は実行時にネットワーク要素１２の動作を制御することが可能な適切な如何なるアプリケーション又は論理ルーチンをも表現する。例えばソフトウエア３４はコントローラ３０により実行され及びロードされる論理ルーチンを含んでもよい。標準構成３６は、標準的なケーブル組立部材を用いてネットワーク要素１２が他の遠隔的なネットワーク要素１２を相互接続する場合に、通信モジュール２０内で送信及び受信される信号のプリエンファシス(pre-emphasis)及びポストエンファシス(post-emphasis)を制御するための設定内容を表現する。交差接続形態３８は通信モジュール２０の同様な設定内容を含むが、ネットワーク要素１２が交差接続されたケーブル組立部材を用いて他の遠隔的なネットワーク要素と接続する場合に使用する設定内容を含む。カスタムコンフィギュレーション４０は、特定の動作モデルにカスタム化された通信モジュール１２の設定内容を含む。例えばカスタムコンフィギュレーション４０は銅定期に調整された設定内容を含むが、標準的コンフィギュレーション３６及び交差接続コンフィギュレーション３８はデフォルト設定内容を含む。
【００２４】
通信モジュール２０は、遠隔的なネットワーク要素と相互接続し、電気通信信号を送受信することが可能なハードウエア（適切な制御論理を含むハードウエア）を表す。図示の例では通信モジュール２０は増幅器２４及び多数のポート４４を含む物理結合部４２を含む。物理結合部４２はネットワークケーブル又は他の適切な相互接続媒体と通信モジュール２０を相互接続する。特定の実施例によれば、物理結合部４２はケーブル組立部材１４のコネクタに適合してもよい。
【００２５】
図示の例では、図２に示される例と同様に、通信モジュール２０は送信増幅器２４及び受信増幅器２４を多数含む。特定の実施例によれば、増幅器２４はネットワーク要素１２の送信及び受信ポート各々について独立にゲインを制御するように増幅器２４は別々に調整されてよい。かくて上述したように送信増幅器２４及び受信増幅器２４は、交差接続されたケーブル組立部材と共にクロストークの影響を減らすように独立に調整されてよい。
【００２６】
様々な規格及び交差接続ケーブルをサポートするために、通信モジュール２０はポート４４のマッピングの再構成を許可してよい。例えば標準ケーブルを使う相互接続の場合に、ポート４４は或る形態であったが、ネットワーク要素１２が交差接続ケーブルを用いて相互接続する場合には、ポート４４のマッピングは反転されてもよい。特定の実施例によれば、ネットワーク要素１２は、交差接続ケーブルの自動検出機能及び交差接続をサポートするためのポート４４の自動マッピング機能を備えてもよい。しかしながらシステム１０は相互接続に使用されるケーブルタイプを検出するための適切な如何なる自動手法又は手動手法を使用するネットワーク要素１２をも想定している。例えば２つのネットワーク要素１２は、スタンダードな又は交差接続のケーブルが使用されているか否かを見出す自動検出段階の間に通信を行ってもよい。
【００２７】
動作時にあっては、ネットワーク要素１２を遠隔的なネットワーク機器に相互接続するのに使用されるネットワークケーブルに基づいて、ネットワーク要素１２は増幅器２４のゲインを調整してよい。交差接続ケーブル組立部材１４を用いて相互接続するネットワーク要素１２の例を再び考察するに、通信モジュール２０は、増幅器T0に比較的高いゲインを、増幅器T1,T2,T3に比較的低いゲインを使用してよい。同様に通信モジュール２０は増幅器R0に比較的低いポストエンファシスゲインを使用し、増幅器R1,R2,R3のポストエンファシスに比較的高い増幅度を利用してよい。しかしながら、上述したように、システム１０は、交差接続ネットワークケーブルと共に動作する通信モジュール２０の要素の適切な如何なる設定内容でも利用するネットワーク要素１２も想定している。
【００２８】
図示の例及び上記の説明は、具体的なモジュールを含むネットワーク要素１２の特定の実施例に焦点を合わせていたが、システム１０は、交差接続ケーブル組立部材を利用してネットワーク通信をサポートする要素の適切な如何なる組み合わせ及び配置を有するネットワーク要素１２をも想定している。従って説明されたモジュール及び機能は適切ならば分離されてもよいし或いは結合されてもよく、ネットワーク要素１２の機能の全部又は一部がソフトウエア及び／又はプログラムされた論理装置のような、媒体中にエンコードされるロジックにより実行されてもよい。更にネットワーク要素１２の特定のモジュールだけが図示されたが、ネットワーク要素１２は様々なネットワーク機能を実行するどのタイプのモジュールでもいくつでも含んでよいことが理解されるべきである。
【００２９】
本発明はいくつかの実施例で説明されてきたが、多数の変更及び修正が当業者に示唆されており、従って本発明はそのような変更及び修正を添付の特許請求の範囲の中に包含することが意図される。
【００３０】
以下、本発明により教示される手段が例示的に列挙される。
【００３１】
（付記１）
第１ネットワーク要素及び第２ネットワーク要素と、前記第１ネットワーク要素及び前記第２ネットワーク要素を電気的に相互接続する交差接続ケーブル組立部材とを有する通信システムであって、各ネットワーク要素は、
複数の送信ポートと、
複数の受信ポートであって、前記複数の受信ポートは前記送信ポートからの物理的距離が徐々に大きくなるように間隔をとり、前記複数の送信ポートは前記複数の受信ポートからの物理的距離が徐々に大きくなるように間隔をとるところの複数の受信ポートと、
前記送信ポートの各々についてのプリエンファシス利得を設定し、前記受信ポートの各々についてのポストエンファシス利得を設定するコントローラと、
を有し、前記交差接続ケーブル組立部材は、
前記第１ネットワーク要素の受信ポート及び送信ポートの対応するものに適合するよう形成された複数の受信プラグ及び複数の送信プラグを有する第１コネクタと、
前記第２ネットワーク要素の受信ポート及び送信ポートの対応するものに適合するよう形成された複数の受信プラグ及び複数の送信プラグを有する第２コネクタと、
電気通信内容をそれぞれが伝送可能な複数の第１の回線であって、複数の第１の回線の各々は前記第１コネクタの送信プラグの１つに接続する第１端部と、前記第２コネクタの受信プラグの１つに接続する第２端部とを有し、第１コネクタの受信プラグに関する前記第１端部の接続順序は、第２コネクタの送信プラグに関する第２端部の接続の順序と逆であるところの複数の第１の回線と、
電気通信内容をそれぞれが伝送可能な複数の第２の回線であって、複数の第２の回線の各々は前記第１コネクタの受信プラグの１つに接続する第１端部と、前記第２コネクタの送信プラグの１つに接続する第２端部とを有し、第１コネクタの送信プラグに関する前記第１端部の接続順序は、第２コネクタの受信プラグに関する第２端部の接続の順序と逆であるところの複数の第２の回線と、
を有することを特徴とする通信システム。
【００３２】
（付記２）
ネットワーク要素の各々について、送信ポートの各々は、受信ポートとの物理的距離がより短い他の送信ポートと比較して、より大きなプリエンファシス利得を適用する
ことを特徴とする付記１記載の通信システム。
【００３３】
（付記３）
ネットワーク要素の各々について、受信ポートの各々は、送信ポートとの物理的距離がより短い他の受信ポートと比較して、より大きなポストエンファシス利得を適用する
ことを特徴とする付記１記載の通信システム。
【００３４】
（付記４）
ネットワーク要素の各々について、送信ポートの各々は進出する信号に特定のプリエンファシス利得を適用し、前記特定のプリエンファシス利得は、前記進出する信号の低周波成分より高い前記進出する信号の高周波成分を増幅する
ことを特徴とする付記１記載の通信システム。
【００３５】
（付記５）
第１コネクタ及び第２コネクタの各々について、隣接する送信プラグ対各々の間の物理的距離が実質的に等しく、隣接する受信プラグ対各々の間の物理的距離が実質的に等しい
ことを特徴とする付記１記載の通信システム。
【００３６】
（付記６）
複数の第１の回線の各々について、前記第１コネクタの受信プラグに対する前記第１端部の物理的距離と、前記第２コネクタの送信プラグに対する前記第２端部の物理的距離との総和が、複数の第１の回線の他のものに関する総和と実質的に等しい
ことを特徴とする付記１記載の通信システム。
【００３７】
（付記７）
ネットワーク要素の各々が、
複数の調整可能な送信増幅器であって、送信増幅器の各々は、送信ポートの対応するもので送信する信号に、選択されたプリエンファシス利得を適用するところの複数の調整可能な送信増幅器と、
複数の調整可能な受信増幅器であって、受信増幅器の各々は、受信ポートの対応するもので受信する信号に、選択されたポストエンファシス利得を適用するところの複数の調整可能な受信増幅器と、
を有することを特徴とする付記１記載の通信システム。
【００３８】
（付記８）
複数の送信プラグ及び複数の受信プラグを有する第１コネクタであって、前記送信プラグは前記受信プラグからの物理的距離が徐々に変わるように間隔をとり、前記受信プラグは前記送信プラグからの物理的距離が徐々に変わるように間隔をとるところの第１コネクタと、
複数の送信プラグ及び複数の受信プラグを有する第２コネクタであって、前記送信プラグは前記受信プラグからの物理的距離が徐々に変わるように間隔をとり、前記受信プラグは前記送信プラグからの物理的距離が徐々に変わるように間隔をとるところの第２コネクタと、
電気通信内容をそれぞれが伝送可能な複数の第１の回線であって、複数の第１の回線の各々は前記第１コネクタの送信プラグの１つに接続する第１端部と、前記第２コネクタの受信プラグの１つに接続する第２端部とを有し、第１コネクタの受信プラグに関する前記第１端部の接続順序は、第２コネクタの送信プラグに関する第２端部の接続の順序と逆であるところの複数の第１の回線と、
電気通信内容をそれぞれが伝送可能な複数の第２の回線であって、複数の第２の回線の各々は前記第１コネクタの受信プラグの１つに接続する第１端部と、前記第２コネクタの送信プラグの１つに接続する第２端部とを有し、第１コネクタの送信プラグに関する前記第１端部の接続順序は、第２コネクタの受信プラグに関する第２端部の接続の順序と逆であるところの複数の第２の回線と、
を有することを特徴とする交差接続ネットワークケーブルアセンブリ。
【００３９】
（付記９）
第１コネクタ及び第２コネクタの各々について、隣接する送信プラグ対各々の間の物理的距離が実質的に等しく、隣接する受信プラグ対各々の間の物理的距離が実質的に等しい
ことを特徴とする付記８記載の交差接続ネットワークケーブルアセンブリ。
【００４０】
（付記１０）
複数の第１の回線の各々について、前記第１コネクタの受信プラグに対する前記第１端部の物理的距離と、前記第２コネクタの送信プラグに対する前記第２端部の物理的距離との総和が、複数の第１の回線の他のものに関する総和と実質的に等しい
ことを特徴とする付記８記載の交差接続ネットワークケーブルアセンブリ。
【００４１】
（付記１１）
複数の送信ポートと複数の受信ポートとを有する通信モジュールであって、前記受信ポートは前記送信ポートからの物理的距離が徐々に変わるように間隔をとり、前記送信ポートは前記受信ポートからの物理的距離が徐々に変わるように間隔をとり、該通信モジュールは第１のコンフィギュレーション及び第２のコンフィギュレーションの内選択されたもので動作し、前記第２のコンフィギュレーションは送信ポートのマッピング及び受信ポートのマッピングを前記第１のコンフィギュレーションのものとは逆にするところの通信モジュールと、
前記送信ポートの各々についてプリエンファシス利得を設定し、前記受信ポートの各々についてポストエンファシス利得を設定し、前記通信モジュールの前記第１のコンフィギュレーション及び前記第２のコンフィギュレーションの間で選択を行うコントローラと、
を有することを特徴とするネットワーク要素。
【００４２】
（付記１２）
前記コントローラは、前記通信モジュールに対する交差接続ケーブルアセンブリの接続を検出し、該検出に応じて、前記通信モジュールの前記第２のコンフィギュレーションを選択する
ことを特徴とする付記１１記載のネットワーク要素。
【００４３】
（付記１３）
前記第２のコンフィギュレーションにおいて、送信ポートの各々は、受信ポートとの物理的距離がより短い他の送信ポートと比較して、より大きなプリエンファシス利得を適用する
ことを特徴とする付記１１記載のネットワーク要素。
【００４４】
（付記１４）
前記第２のコンフィギュレーションにおいて、受信ポートの各々は、送信ポートとの物理的距離がより短い他の受信ポートと比較して、より大きなポストエンファシス利得を適用する
ことを特徴とする付記１１記載のネットワーク要素。
【００４５】
（付記１５）
送信ポートの各々は進出する信号に特定のプリエンファシス利得を適用し、前記特定のプリエンファシス利得は、前記進出する信号の低周波成分より高い前記進出する信号の高周波成分を増幅する
ことを特徴とする付記１１記載のネットワーク要素。
【００４６】
（付記１６）
前記通信モジュールが、
複数の調整可能な送信増幅器であって、送信増幅器の各々は、送信ポートの対応するもので送信する信号に、選択されたプリエンファシス利得を適用するところの複数の調整可能な送信増幅器と、
複数の調整可能な受信増幅器であって、受信増幅器の各々は、受信ポートの対応するもので受信する信号に、選択されたポストエンファシス利得を適用するところの複数の調整可能な受信増幅器と、
を有することを特徴とする付記１１記載のネットワーク要素。
【図面の簡単な説明】
【００４７】
【図１】本発明の様々な実施例による交差接続ケーブルにより接続されたネットワーク要素を含む通信システムを示す。
【図２】２つのネットワーク要素間でのポートの接続例を示す図である。
【図３】図１のシステム中のネットワーク要素例を示す図である。
【符号の説明】
【００４８】
１２  ネットワーク要素
１４  ケーブル組立部材１４
１６  ケーブルスパン部
１８  コネクタ１８を含む
２０  通信モジュール
２４  増幅器
３０  コントローラ
３２  メモリ
３４  ソフトウエア
３６  標準的コンフィギュレーション
３８  交差接続コンフィギュレーション
４０  カスタムコンフィギュレーション
４２  結合部
４４  ポート
【図１】
0004812539.tif 000002
【図２】
0004812539.tif 000003
【図３】
0004812539.tif 000004